(57)【要約】【課題】使用状態におけるケース保持や姿勢変更などを容易に行え、持ち重りすることもなくより軽快に取り扱うことができる電気かみそりを提供する。【解決手段】本体ケース１の上部前後に、本体ケース１の主表面壁１ａから膨出するラウンド部４０を形成する。ラウンド部４０と主表面壁１ａとの間に指受面４１を形成する。指受面４１下端を、かみそり重心Ｇより上方に配置する。指受面４１は左右の傾斜面４４と、傾斜面４４の下部どうしを滑らかに連続させる湾曲面４５とで概ねＶ字状に形成する。【選択図】        図１
2004222980.tif 000002
【特許請求の範囲】
【請求項１】
本体ケース１の上部にかみそりヘッド２を有し、かみそりヘッド２の上面に切断刃面Ｃが設けてある電気かみそりであって、
本体ケース１の外面上部に、本体ケース１の主表面壁１ａから膨出するラウンド部４０が形成されており、
ラウンド部４０と主表面壁１ａとの間に形成される指受面４１の下端が、かみそり重心Ｇより上方に配置してあることを特徴とする電気かみそり。
【請求項２】
ラウンド部４０、および指受面４１のそれぞれが、本体ケース１の前後面に形成してある請求項１記載の電気かみそり。
【請求項３】
ラウンド部４０を含む本体ケース１のケース頭部１Ａが、ケース胴部１Ｂに比べて左右広幅に形成されており、
ケース胴部１Ｂからケース頭部１Ａに至るケース壁を上拡がり状に形成して、ケース頭部１Ａの左右両側に指掛壁４２が形成してある請求項１または２記載の電気かみそり。
【請求項４】
指受面４１が左右の傾斜面４４と、傾斜面４４の下部どうしを滑らかに連続させる湾曲面４５とで概ねＶ字状に形成してある請求項１、２または３記載の電気かみそり。
【請求項５】
本体ケース１の後面にきわぞり刃１３を上下に移動操作するスライドノブ１４が配置されており、
スライドノブ１４と、スライドノブ１４の左右の主表面壁１ａとにわたって、ラウンド部４０および指受面４１が形成してある請求項１、２、３または４記載のロータリー式の電気かみそり。
【請求項６】
本体ケース１の前面側のラウンド部４０に設けた凹部５１に、電気かみそりの運転状態を表示する発光表示具１０・１１が配置されており、
発光表示具１０・１１が、凹部５１に装着固定される発光基板５２と、発光基板５２に実装されるＬＥＤ５３・５４と、ＬＥＤ５３・５４から照射された表示光をケース表面側へ案内する導光板５５と、導光板５５の外面を覆い隠して発光面を所定形状に規定する遮光ピース５６を含んで構成されている請求項１から５のいずれかひとつに記載の電気かみそり。
【請求項７】
かみそりヘッド２の下部に設けた電装品ユニット３が、本体ケース１の内部に収容されており、
かみそりヘッド２と本体ケース１との間が、電装品ユニット３を防水するためのケースパッキン４７で封止されており、
発光表示具１０・１１を収容する凹部５１の殆どが、ケースパッキン４７の本体ケース１側の封止面より上方に設けられており、
凹部５１と、凹部５１の開口面を塞ぐ導光板５５との間がシールリング５８で封止されており、ケースパッキン４７より下方の防水空間と、凹部５１の内部空間とが本体ケース１に通設した導線口６５を介して連通されており、
本体ケース１内の回路基板２６と発光基板５２とが、導線口６５を通り抜けるリード線６６で接続してある請求項６の電気かみそり。
【発明の詳細な説明】
【０００１】
【発明の属する技術分野】
本発明は、切断刃面がかみそりヘッドの上面に設けてある電気かみそりに関し、本体ケースの握り部の構造に改良を加えたものである。
【０００２】
【従来の技術】
本発明に関して、本体ケースの前面に半円状の膨出部を設けて、電気かみそりの扱いやすさを向上できるようにした電気かみそりが公知である（特許文献１参照）。そこでは、半円状の膨出部の下周縁に連続して斜めの段部が設けられており、この段部に親指をあてがった状態で本体ケースを前後から挟み持つことにより、親指を支点にしながら本体ケースを前後、左右に傾動操作できるようにしている。
【０００３】
【特許文献１】
特公平７−１１０３０７号公報（５頁、第４図）
【０００４】
【発明が解決しようとする課題】
上記の電気かみそりによれば、手指の操作だけで電気かみそりの姿勢を変更できるので、腕や手首を頻繁に動かしながら姿勢を変更する必要があった従来品に比べて、電気かみそりの扱いやすさを向上できる。また、膨出部の下縁段部に指をあてがった状態でかみそり重量を支えることができるので、電気かみそりを誤って取り落とすこともない。問題は、膨出部の下縁段部が、かみそり全体の上下方向中央より下方に設けてあって、姿勢を変更するときの親指の位置と切断刃面との距離が大きいので、姿勢を変更するときの手指の動作量に比べて、切断刃面における動作量が大きく増幅されるのを避けられず、姿勢変更を行うのに微妙な操作が必要な点で改善の余地があった。とくに、向きや角度が急激に変化する肌面、例えば顎下面から顎前面に至る肌面のひげをそるような場合には、かみそりを縦姿勢から横姿勢へと大きく変化させながら、同時に切断刃面を肌面に密着させる必要があるが、このような姿勢変更を円滑に行うには、ある程度の馴れとこつが必要であった。
【０００５】
先に述べたように、かみそり全体の上下方向中央より下方に膨出部の下縁段部が設けてあるので、姿勢を変更するときの親指の位置が、かみそりの重心より下方に位置せざるを得ず、そのため、持ち重りしやすいのはもちろん、電気かみそりの姿勢変更に微妙な操作が必要となる一因にもなっていた。
【０００６】
本発明の目的は、使用状態におけるケース保持や姿勢変更などをさらに容易に行えるうえ、持ち重りすることもなくより軽快に取り扱うことができる電気かみそりを提供することにある。本発明の目的は、電気かみそりを使用する際に、その運転状態を表示する発光表示具が、本体ケースを握り締めた使用者の手で覆い隠されるのを解消でき、従って発光表示具による運転状態の表示を常に確実に目視することができる電気かみそりを提供することにある。
【０００７】
【課題を解決するための手段】
本発明の電気かみそりは、図１に示すように、本体ケース１の上部にかみそりヘッド２を有し、かみそりヘッド２の上面に切断刃面Ｃが設けてある。本体ケース１の外面上部に、本体ケース１の主表面壁１ａから膨出するラウンド部４０を形成する。ラウンド部４０と主表面壁１ａとの間に形成される指受面４１の下端をかみそり重心Ｇより上方に配置する（請求項１）。
【０００８】
上記のラウンド部４０、および指受面４１のそれぞれは、本体ケース１の前後面に形成する（請求項２）。
【０００９】
ラウンド部４０を含む本体ケース１のケース頭部１Ａは、ケース胴部１Ｂに比べて左右広幅に形成する。ケース胴部１Ｂからケース頭部１Ａに至るケース壁を上拡がり状に形成して、ケース頭部１Ａの左右両側に指掛壁４２を形成する（請求項３）。
【００１０】
指受面４１は左右の傾斜面４４と、傾斜面４４の下部どうしを滑らかに連続させる湾曲面４５とで概ねＶ字状に形成する（請求項４）。
【００１１】
本体ケース１の後面にきわぞり刃１３を上下に移動操作するためのスライドノブ１４を配置する。スライドノブ１４と、スライドノブ１４の左右の主表面壁１ａとにわたって、ラウンド部４０および指受面４１を形成する（請求項５）。
【００１２】
本体ケース１の前面側のラウンド部４０に設けた凹部５１に、電気かみそりの運転状態を表示する発光表示具１０・１１を配置する。発光表示具１０・１１は、凹部５１に装着固定される発光基板５２と、発光基板５２に実装されるＬＥＤ５３・５４と、ＬＥＤ５３・５４から照射された表示光をケース表面側へ案内する導光板５５と、導光板５５の外面を覆い隠して発光面を所定形状に規定する遮光ピース５６を含んで構成する（請求項６）。
【００１３】
かみそりヘッド２の下部に設けた電装品ユニット３を、本体ケース１の内部に収容する。かみそりヘッド２と本体ケース１との間を、電装品ユニット３を防水するためのケースパッキン４７で封止する。発光表示具１０・１１を収容する凹部５１の殆どは、ケースパッキン４７の本体ケース１側の封止面より上方に設けられる。凹部５１と、凹部５１の開口面を塞ぐ導光版５５との間をシールリング５８で封止する。ケースパッキン４７より下方の防水空間と、凹部５１の内部空間とを本体ケース１に通設した導線口６５を介して連通する。本体ケース１内の回路基板２６と発光基板５２とを、導線口６５を通り抜けるリード線６６で接続する（請求項７）。
【００１４】
【発明の作用効果】
本発明では、本体ケース１の外面上部にラウンド部４０を膨出形成し、ラウンド部４０と主表面壁１ａとの間に手指を受け止める指受面４１を設けて、手指の操作だけで電気かみそりを前後、および左右方向へ姿勢変更できるようにするので、電気かみそりの扱いやすさを向上できるうえ、指受面４１に指をあてがった状態でかみそり重量を支えることができるので、電気かみそりを誤って取り落とすこともない。指受面４１の下端をかみそり重心Ｇより上方に配置するので、姿勢を変更するときの親指の位置と切断刃面Ｃとの距離を小さくできるうえ、姿勢変更に伴う切断刃面Ｃの動作量を小さくできるので、微妙な姿勢変更を簡単に行うことができ、従来のこの種の電気かみそりに比べて、さらに扱いやすさを向上できる。持ち重りすることもなくかみそり全体をバランスよく支えることができる利点もある（請求項１）。
【００１５】
ラウンド部４０、および指受面４１のそれぞれを、本体ケース１の前後面に形成した電気かみそりによれば、前後の指受面４１で指先を受け止めることができるので、電気かみそりの向きが前後逆向きになっている場合であっても、そのこととは無関係に本体ケース１を確実に支え保持できる（請求項２）。
【００１６】
ラウンド部４０を含むケース頭部１Ａをケース胴部１Ｂに比べて左右広幅に形成し、ケース胴部１Ｂからケース頭部１Ａに至るケース壁を上拡がり状に形成することにより、ケース頭部１Ａの左右両側に指掛壁４２を形成した電気かみそりによれば、左右の指掛壁４２によっても手指を受け止められるので、電気かみそりの使用姿勢の変化に伴ってケース胴部１Ｂの握り方が種々に変る場合にも、前後左右の指受面４１と指掛壁４２とで手や指を確実に受け止めることができるうえ、左右の利き腕の違いとは無関係に本体ケース１を支持できる（請求項３）。
【００１７】
左右の傾斜面４４と、傾斜面４４に連続する湾曲面４５とで、指受面４１を概ねＶ字状に形成すると、指受面４１の下端、すなわち湾曲面４５に親指をあてがった状態で本体ケース１を前後から挟み持ち、親指以外の任意の指で本体ケース１を矢印で示すように左右方向へ傾動操作する場合に、親指や人差し指が傾斜面４４に当るのを避けることができ、従って傾動操作を円滑に行え、電気かみそりの姿勢変更を軽快に行える（請求項４）。
【００１８】
本体ケース１の後面に設けたスライドノブ１４と、スライドノブ１４の左右の主表面壁１ａとにわたって、ラウンド部４０および指受面４１を形成した電気かみそりによれば、スライドノブ１４の本来の操作部１４ａとは別に、指受面４１を利用してスライドノブ１４を押し上げ操作することができるので、ケース胴部１Ｂの握り方の違いに応じて操作部１４ａと指受面４１のいずれでも操作できる点で、使い勝手がよい（請求項５）。
【００１９】
本体ケース１の前面側のラウンド部４０に、運転状態を表示する発光表示具１０・１１を配置した電気かみそりによれば、ケース胴部１Ｂを握り締める手指によって発光表示具１０・１１が覆い隠されることがないので、ひげそり時に手指を広げてケース前面を露出させる必要もなく、単にラウンド部４０を視認するだけで運転モードを確認でき、従って発光表示具１０・１１による運転モードの確認をより簡便に行える。凹部５１に固定される発光基板５２と、ＬＥＤ５３・５４と、導光板５５、遮光ピース５６などで構成した発光表示具１０・１１によれば、ＬＥＤ５３・５４と導光板５５とを近接配置できる分だけ、発光表示を明確化できる。因みに、従来の電気かみそりにおいては、ＬＥＤを本体ケース１内に設けた回路基板２６に実装する必要上、発光表示具の配置位置がケース胴部１Ｂの側に制約されていたが、本発明では、この制約を打破してケース頭部１Ａのラウンド部４０に発光表示具１０・１１を設けることが可能となった（請求項６）。
【００２０】
かみそりヘッド２と本体ケース１との間を封止するケースパッキン４７より下方の防水空間と、凹部５１の内部空間とを本体ケース１に通設した導線口６５を介して連通し、導線口６５を通り抜けるリード線６６で、本体ケース１内の回路基板２６と発光基板５２とを接続するようにした電気かみそりによれば、凹部５１の殆どが、ケースパッキン４７の本体ケース１側の封止面より上方に設けてあっても、凹部５１内の発光基板５２やＬＥＤ５３・５４を確実に防水しながら、発光基板５２と電装品ユニット３側に設けられた回路基板２６とを電気的に接続できるので、水洗い可能な電気かみそりにおいて、先の封止面より上方に発光表示具１０・１１を問題なく設けることができる（請求項７）。
【００２１】
【実施例】
図１ないし図１２は、本発明をロータリー式電気かみそりに適用した実施例を示す。図１ないし図４において電気かみそりは、本体ケース１とその上部に設けられるかみそりヘッド２と、本体ケース１に収容される電装品ユニット３などを主な構造体にして構成する。本体ケース１は、その殆どを占めるケース胴部１Ｂと、ケース胴部１Ｂより広幅のケース頭部１Ａとで構成してある。
【００２２】
図１において本体ケース１の前面には、モーター起動用のスイッチボタン５と、そのロックボタン６、および運転モードを切り換えるセレクトボタン７と、表示具とが設けてある。表示具は、セレクトボタン７の上側に設けた充電灯８と、電池残量表示灯９と、ケース上部に設けられて運転モードに応じて色が変化する逆Ｕ字状のモード表示灯（発光表示具）１０と、ひげセンサーのオンオフに連動して点灯するセンサー灯（発光表示具）１１の４種である。
【００２３】
図２および図３において本体ケース１の背面側には、きわぞり刃（往復動刃）１３と、きわぞり刃１３を駆動位置へ押し上げ操作するスライドノブ１４とが設けてある。スライドノブ１４の下端に、滑り止めリブを備えた操作部１４ａが設けてある。かみそりヘッド２の内部上面には、前後一対ずつの内刃１５および外刃１６と、センター刃（往復動刃）１７と、これらを駆動する駆動機構などが配置してある。つまり、かみそりヘッド２の上面に切断刃面Ｃが設けてある。かみそりヘッド２の左右には、かみそりヘッド２を前後揺動不能にロック固定するためのロックノブ１８と、外刃ホルダー１２をロック解除操作する左右一対の解除ボタン１９などが設けてある。
【００２４】
図４に示すように本体ケース１は上下両面が開口する筒体からなり、下面開口が底ケース２１で塞がれている。底ケース２１を左右一対のビス２２で内フレーム２５に締結することにより、本体ケース１と、電装品ユニット３と、底ケース２１の３者を分離不能に一体化できる。この締結状態において、底ケース２１と本体ケース１の接合部、および底ケース２１を貫通する先のビス２２、および充電プラグ２３は、それぞれシールリング２４・２２ａ・２３ａで水密状に防水される。
【００２５】
電装品ユニット３は、内フレーム２５と、内フレーム２５の前面に装着される回路基板２６と、回路基板２６の背面側に配置され左右一対の２次電池２７と、回路基板２６に組み付けられる電源スイッチ５ａ、およびセレクトスイッチ７ａと、充電灯８および電池残量表示灯９の光源となるＬＥＤ８ａ・９ａ等で構成してある。かみそりヘッド２は、その下面に固定した浮動フレーム２８を介して内フレーム２５に装着され、前後左右、および上下の全方位へフロート自在に支持される。図示していないが、本体ケース１の前後周面には、スイッチ類および表示灯用の開口と、２次電池２７の充電時に発生する水素ガスを逃がすガス抜き穴とが形成してあるが、これらの開口や穴は水密状に封止してあり、従って、ケース内の電装品収納空間に水が入り込む余地はなく、電気かみそり全体の水洗いが可能となっている。
【００２６】
図１において、かみそりヘッド２には、モーター３１と減速機構３２とをユニット化した動力モジュールと、減速機構３２で減速されたモーター動力を内刃１５に伝える巻掛伝動機構３３と、モーター動力を左右方向の往復動力に変換し、きわぞり刃１３、およびセンター刃１７に伝える動力系などが設けてある。
【００２７】
図９に示すように、モーター３１の動力は、遊星歯車機構からなる減速機構３２で減速したのち、巻掛伝動機構３３と終段ギヤ３４を介して横軸まわりに回転する内刃１５に伝動される。往復動力は回転動力をカム機構で往復動作に変換することによって生起され、モーターホルダー３５の上面に配置したスライド片３６に伝動される。スライド片３６の左右往復動作は、その上面に設けた駆動ピン３７と振動子３８を介してセンター刃１７に伝えられ、さらに、図８に示すようにスライド片３６と一体に設けた駆動アーム３９を介してきわぞり刃１３に伝えられる。
【００２８】
外刃１６には一群の刃穴が網目状に形成してあり、外刃１６と外刃１６の内面で摺動する内刃１５とによって髭を短く切断することができる。内刃１５は、円柱状のプラスチック製ホルダーの周面に、一群の金属切刃をスパイラル状に埋設固定して構成してある。センター刃１７は、外刃ホルダー１２に固定される断面逆Ｕ字状の固定外刃と、固定外刃の内面に配置される可動内刃とで構成してあり、振動子３８の駆動軸で可動内刃を左右に往復駆動することにより、主として長毛やくせ毛を切断する。固定外刃および可動内刃は、それぞれ溝状の刃穴が形成してあるスリット刃からなる。
【００２９】
きわぞり刃１３は、きわぞりケース６８の上端内面に固定される櫛刃状の固定刃６９と、固定刃６９に対して左右摺動する櫛刃状の可動刃７０とで構成してあり、主として長毛やくせ毛を切断する際に使用する。駆動アーム３９の後端部には、縦方向の操作溝７１が形成してあり、この操作溝７１に伝動アーム７２の下端に設けた受動突起７３が係合することにより、駆動アーム３９が往復揺動して可動刃７０を左右に往復駆動する。
【００３０】
図３に示すように、スライドノブ１４が実線で示す位置にあるとき、受動突起７３は操作溝７１と係合しておらず、従って可動刃７０は停止している。この状態から、スライドノブ１４を想像線で示す位置まで押し上げ操作すると、図８に示すように受動突起７３が操作溝７１に係合して、伝動アーム７２の全体が軸７４まわりに左右揺動するので、可動刃７０をスライド片３６に同期して往復駆動できる。
【００３１】
かみそりヘッド２を水洗い可能とするために、かみそりヘッド２と本体ケース１との間をケースパッキン４７で封止して、電装品ユニット３が収容される防水空間を、外部空間から区分している。具体的には、図８および図９に示すように、かみそりヘッド２の下端に固定したモーターホルダー３５の下面と浮動フレーム２８との間にケースパッキン４７の内周縁を挟持固定し、ケースパッキン４７の外周縁を内フレーム２５の上端のシール枠２９に装着したうえで、ケースパッキン４７の外周縁の外面を本体ケース１の内面に設けた筒壁３０の内面に密着させている。また、モーター３１の出力軸の周囲は、軸用パッキン４８とホルダーパッキン４９とで封止してある。
【００３２】
上記のように構成した電気かみそりにおいて、使用状態におけるケース保持や姿勢変更などを容易に行うために、ケース頭部１Ａの前後面のそれぞれに、本体ケース１の主表面壁１ａから膨出する銀杏葉状のラウンド部４０を形成し、ラウンド部４０の下周縁と主表面壁１ａとの間に傾斜面からなる指受面４１を形成している。さらに、図１に示すように本体ケース１を正面から見た状態において、ケース頭部１Ａをケース胴部１Ｂより左右広幅に形成し、ケース胴部１Ｂからケース頭部１Ａ至るケース壁を上拡がり状の湾曲壁で形成して、ケース頭部１Ａの左右両側に指掛壁４２を形成している。
【００３３】
使用時における姿勢変更などを容易化するために、上記の指受面４１は、緩やかな湾曲面からなる左右一対の傾斜面４４と、両傾斜面４４の下部を滑らかに連続する下凸状の湾曲面４５とで概ねＶ字状に形成し、さらに、湾曲面４５、すなわち指受面４１の下端をかみそり重心Ｇの位置より上方に位置させている。
【００３４】
使用状態においては図５に示すように、指受面４１の下端、すなわち湾曲面４５に親指をあてがった状態で本体ケース１を前後から挟み持ち、親指以外の任意の指で本体ケース１を矢印で示すように左右方向へ傾動操作するが、このとき、指受面４１がＶ字状に形成してあるので、親指や人差し指が傾斜面４４に当るのを極力避けることができ、従って傾動操作を円滑に行える。また、かみそり重心Ｇより上方において本体ケース１を親指で前後に挟み持つので、姿勢を変更するときの親指の位置と切断刃面Ｃとの距離を小さくできるうえ、姿勢変更に伴う切断刃面Ｃの動作量を小さくできるので、微妙な姿勢変更を簡単に行えるうえ、持ち重りすることもなくかみそり全体をバランスよく支えることができる。
【００３５】
同様に、前後の指受面４１を親指と人差し指とで前後から挟み持ち、図６に矢印で示すように本体ケース１を前後方向へ傾動操作する場合にも、かみそり重心Ｇより上方において本体ケース１を支持できるので、姿勢変更に伴う切断刃面Ｃの動作量を小さくし、微妙な姿勢変更を意のままに行うことができる。
【００３６】
ケース胴部１Ｂを手で握り締めた状態においては、図７に示すように、意識する必要もなく自然に親指と人差し指とが前後の指受面４１の下端、すなわち湾曲面４５で受け止められるので、ケース本体１を確実に支え持つことができ、従って電気かみそりを誤って取り落とすことを防止できる。同様に、ケース頭部１Ａの左右に設けられる指掛壁４２も、ケース本体１を確実に支え持つことに役立っており、両指掛壁４２を親指と人差し指とで挟み持ってひげそりを行うような場合に、ケース頭部１Ａをしっかりと支えることができる。
【００３７】
本体ケース１のケース胴部１Ｂに発光表示具を設けると、ケース胴部１Ｂを握り締める手指によって発光表示具が覆い隠されるのを避けられない。そこで、この実施例においては、標準的なグリップ位置（概ね図５に示す状態）より上方に位置するケース頭部１Ａのラウンド部４０を利用して、モード表示灯（発光表示具）１０と、センサー灯（発光表示具）１１とを配置し、これらの発光表示具１０・１１を使用状態においても常に視認できるようにした。
【００３８】
図１０において発行表示具１０・１１は、ラウンド部４０に凹み形成した凹部５１に装着固定される発光基板５２と、発光基板５２に実装される２種のＬＥＤ５３・５４と、各ＬＥＤ５３・５４から照射された表示光をケース表面側へ案内する導光板５５と、導光板５５の外面に装着固定されて発光領域を所定形状に規定する遮光ピース５６とで構成する。５７はアルミニウム板材で形成した化粧板、５８は防水用のシールリングである。発光基板５２の上側に実装されたＬＥＤ５３は、赤、青、緑の各色を同時に発光できる３チップ型ＬＥＤであって、各チップの発光状態の組み合わせによって呈色状態を任意に変更できる。発光基板５２の下側に実装されるＬＥＤ５４は単色発光型のＬＥＤである。
【００３９】
導光板５５は、透明なプラスチック成形品からなり、凹部５１よりひと回り小さなカバー壁６０と、カバー壁６０の周囲に突設される逆Ｕ字状の第１発光部６１とを一体に備えている。カバー壁６０の下寄り内外面には、ＬＥＤ５３に対応する第２発光部６２が突設してある。遮光ピース５６は、光を通さないプラスチック成形品からなり、カバー壁６０の外面を覆い隠して、第１発光部６１と第２発光部６２とからのみ表示光を照射させる。遮光ピース５６には、第２発光部６２を露出させるための窓６３が通設してある。遮光ピース５６の下半部は斜めに傾斜しており、この傾斜部分が指受面４１の湾曲面４５を構成している。
【００４０】
図８および図１１に示すように凹部５１の内奥に発光基板５２を固定したのち、シールリング５８と遮光ピース５６が組み付けられた導光板５５を凹部５１に装着固定することにより、３チップ型のＬＥＤ５３をカバー壁６０と対向させ、単色発光型のＬＥＤ５４を第２発光部６２の内端面と正対させることができ、この組付状態において、発光基板５２とＬＥＤ５３・５４をシールリング５８で水密状に封止することができる。３チップ型のＬＥＤ５３から照射された表示光は、カバー壁６０内で反射と屈折を繰り返して第１発光部６１に達し、その外端面から放射される。また、単色発光型のＬＥＤ５４から照射された表示光は、第２発光部６２を直進して外部に放射される。
【００４１】
このように本体ケース１の外側に凹部５１を形成し、凹部５１の表面にＬＥＤ５３・５４などの発光体を配設すると、ＬＥＤなどの発光体を本体ケース１の内奥部に配設した従来の発光手段に比べ、距離による明るさの減衰を可及的に防止できる。カバー壁６０を利用した線状発光或いは面状発光においても明るさが減衰することはない。従って、第１発光部６１・第２発光部６２から照射される表示光を非常に明るくできるので、モード表示の確認が容易となり使い勝手が向上する。
【００４２】
上記のように、ケース上端寄りのラウンド部４０に発光表示具１０・１１を配置すると、必然的に凹部５１の殆どがケースパッキン４７の本体ケース１側の封止面より上方に位置することとなるため、発光基板５２やＬＥＤ５３・５４の防水を実現しながら、回路基板２６と発光基板５２とを接続するリード線の配線をいかに行うかが問題となる。
【００４３】
図８に示すように、この実施例では、凹部５１の下端に臨む本体ケース１に導線口６５を通設することにより、凹部５１の内部空間とケースパッキン４７より下方の防水空間とを連通し、導線口６５を介してリード線６６を配線した。換言すると、シールリング５８で防水された凹部５１の一部を、ケースパッキン４７より下方の防水空間とケース周壁を介して上下に重合するように配置したうえで、重合壁部分に導線口６５を通設して、発光基板５２、ＬＥＤ５３・５４、およびリード線６６を水密状に封止した。
【００４４】
図１２に示す制御回路に基づき、電気かみそりの運転モードの詳細を説明する。図中符号７６は制御部（ＣＰＵ）であり、７７は負荷調整用の抵抗が組み込んである負荷検出回路である。制御部７６は外部からの入力信号を受けて、モーター３１の運転状態を制御し、発光表示具（モード表示灯・センサー灯）１０・１１の点灯状態を切り換える。使用時にスイッチボタン５をオン操作すると、制御部７６は電源スイッチ５ａから信号を受けて、モーター３１を起動する。この状態でセレクトボタン７を押す離すのプッシュ操作により、電気かみそりの運転モードを、センサーモード、マイルドモード、パワフルモード、ターボモードの４種のいずれかに選択できる。
【００４５】
センサーモードは、パワフルなモーター回転数（８３００ｒｐｍ）と、マイルドなモーター回転数（７８００ｒｐｍ）を髭の量（モーター３１の負荷）に応じて自動的に変更できる回転数自動可変モードである。マイルドモードは、モーター３１の回転数がマイルドな回転数（７８００ｒｐｍ）で固定されるモードであり、パワフルモードは、モーター３１の回転数がパワフルな回転数（８３００ｒｐｍ）で固定されるモードである。また、ターボモードは、パワフルモードのモーター回転数より高い回転数（８８００ｒｐｍ）で固定されるモードである。
【００４６】
センサー灯１１はセンサーモードのときのみ点灯し、他のモードではセンサー灯１１を消灯する。モード表示灯１０は、電源オン時、つまりモーター３１の駆動時には常に点灯しているが、その色が３種の各モードで異なる。マイルドモードでは青と緑のＬＥＤを発光させて水色に、パワフルモードでは青のＬＥＤのみを点灯させて青色に、ターボモードでは赤と緑のＬＥＤを点灯させてオレンジ色の光を発光する。センサーモードにおいては、回転数の自動切り換えに応じて、マイルドな回転数（７８００ｒｐｍ）のときはマイルドモードと同じ水色に点灯し、パワフルな回転数（８３００ｒｐｍ）のときはパワフルモードと同じ青色に点灯する。このようにモーター３１（内刃１５）の回転数に応じて色を変化させると、耳の不自由な使用者においても目視で簡単に実際に駆動している電気かみそりの回転数を把握することができる。また、複数個のＬＥＤなどを列状に並べて定量的に回転数を表示する表示手段においては表示手段配置のためのスペースを必要としていたが、モーター３１（内刃１５）の回転数を色の変化で表示する上記構造によればスペースを気にすることなく表示手段を配設できる。
【００４７】
センサーモードにおいては、髭の切断負荷に応じてモーター３１に印加される電圧波形を変更して、モーター３１の出力をマイルド、パワフルのいずれかに自動的に切り換える。詳しくは、センサーモードにおいてスイッチボタン５をオンすると、負荷検出回路７７と直列接続された第２スイッチ７９（トランジスタ、ＦＥＴ等）に駆動パルスを出力してモーター３１を駆動する。このとき、負荷検出回路７７によって、モーター電流に比例して増減する電圧が取り出されるが、この取り出された検知電圧が予め設定されている基準電圧より高い場合、すなわち切断すべき髭の量が多くモーター３１の負荷が高い場合には、第２スイッチ７９にオン時間の長いデューティー比の駆動パルスを供給して、モーター３１をパワフルな回転数（８３００ｒｐｍ）に増速する。
【００４８】
逆に、検知電圧が基準電圧より低い場合、すなわち髭の量が少なくモーター３１の負荷が低い場合には、第２スイッチ７９にオン時間の短いデューティー比の駆動パルスを供給し、モーター３１をマイルドな回転数（７８００ｒｐｍ）に減速する。この制御によって、髭の量に応じた適切な髭剃りを行うことができる。スイッチボタン５をオンした後、セレクトボタン７によってターボモードを選択すれば、負荷検出回路７７と第２スイッチ７９をバイパスするように設けられた第１スイッチ７８（トランジスタ、ＦＥＴ等）に連続する信号を出力することになり、各モードの中で最大の回転数（８８００ｒｐｍ）を得ることができる。
【００４９】
なお、電池残量表示灯９は、回路基板２６の上下に隣接配置した複数個のＬＥＤ９ａと、ケース前面の表示パネルに設けられて、残量を表示する数字の表示で構成されており、２次電池２７の電圧の変化に応じて該当するＬＥＤを点灯して、電池残量の目安をほぼ定量的に表示する。
【００５０】
安全スイッチ８１は、外刃ホルダー１２がかみそりヘッド２から取り外され、内刃１５が露呈したときオン状態に切り換わる。制御部７６は、運転途中に安全スイッチ８１がオン状態に切り換わると、第１スイッチ７８と第２スイッチ７９への駆動信号を停止して、モーター３１への駆動電流の供給を停止する。これにより内刃１５の回転が停止するため、回転する内刃１５による怪我を防止でき、恐怖感も解消できる。モーター３１が停止しているとき、充電用アダプターの充電端子が充電プラグ２３に差し込まれると充電スイッチ８０がオン状態となり本体ケース１に内蔵される２次電池２７が充電される。充電電圧が所定電圧になり、或いは充電端子が外されると充電スイッチ８０がオフ状態となり充電が停止する。充電時には先に説明した充電灯８が点灯する。
【００５１】
上記の実施例以外に、ラウンド部４０は少なくとも本体ケース１の前面に設けてあればよい。指受面４１の正対形状は、新月形状や逆台形状などに変更することができる。スライドノブ１４は省略することができ、その場合には、本体ケース１の後壁上部にラウンド部４０と指受面４１とを形成する。内刃１５はロータリー刃である必要はなく往復動刃であってもよい。きわぞり刃１３は、不使用状態においてケース周面に沿って収納され、スライドノブ１４を押し上げ操作することによって跳ね上げ揺動して使用姿勢に切り換わる、いわゆるリトラクタブル構造とすることができる。
【図面の簡単な説明】
【図１】電気かみそりの正面図である。
【図２】電気かみそりの側面図である。
【図３】電気かみそりの背面図である。
【図４】電気かみそりの分解正面図である。
【図５】電気かみそりの使用例を示す正面図である。
【図６】電気かみそりの別の使用例を示す側面図である。
【図７】電気かみそりの標準的なグリップ状態を示す側面図である。
【図８】かみそり頭部の縦断側面図である。
【図９】かみそり頭部の縦断正面図である。
【図１０】発光表示具の分解斜視図である。
【図１１】発光表示具の横断平面図である。
【図１２】制御回路の概略を示すブロック図である。
【符号の説明】
１  本体ケース
１ａ  主表面壁
１Ａ  ケース頭部
１Ｂ  ケース胴部
２  かみそりヘッド
３  電装品ユニット
４０  ラウンド部
４１  指受面
４２  指掛面
Ｃ  切断刃面
Ｇ  かみそり重心
【図１】
2004222980.tif 000003
【図２】
2004222980.tif 000004
【図３】
2004222980.tif 000005
【図４】
2004222980.tif 000006
【図５】
2004222980.tif 000007
【図６】
2004222980.tif 000008
【図７】
2004222980.tif 000009
【図８】
2004222980.tif 000010
【図９】
2004222980.tif 000011
【図１０】
2004222980.tif 000012
【図１１】
2004222980.tif 000013
【図１２】
2004222980.tif 000014